(57)【要約】【課題】反射部のカラーフィルタ層に開口部分を有すると共にトップコート層を有し、反射部の表示画質のバラツキが少ないＭＶＡ方式の半透過型液晶表示パネルを提供すること。【解決手段】本発明の半透過型液晶表示パネル１０Ａは、反射板１８が形成されている位置の層間絶縁膜１７に形成したコンタクトホール２０を介して画素電極１９とスイッチング素子であるＴＦＴとが電気的に接続され、液晶分子の配向規制手段である突起３２がコンタクトホール２０と対向する位置形成されている。加えて、本発明の半透過型液晶表示パネル１０Ａは、カラーフィルタ層２６の開口部分２６'の中心が液晶分子の配向規制手段の中心と一致する位置に形成されていることを特徴とする。【選択図】  図２
2008209827.tif 000002
【特許請求の範囲】
【請求項１】
マトリクスに配置された複数の走査線及び信号線と、複数の前記走査線及び信号線で囲
まれた領域のそれぞれに層間絶縁膜を介して電気的に絶縁した状態で形成されているスイ
ッチング素子及び画素電極と、前記画素電極のそれぞれの表面又は裏面に部分的に形成さ
れた反射板と、を備え、前記反射板が形成されている位置の層間絶縁膜に形成したコンタ
クトホールを介して前記画素電極とスイッチング素子とが電気的に接続されているアレイ
基板と、
前記それぞれの画素電極に対向する位置に形成されたカラーフィルタ層と、前記それぞ
れの反射板と対向する位置のカラーフィルタ層の表面に形成されたトップコート層と、前
記トップコート層及びカラーフィルタ層の表面全体に形成された共通電極と、前記トップ
コート層上に形成された液晶分子の配向規制手段と、を備えたカラーフィルタ基板と、
前記アレイ基板及びカラーフィルタ基板の対向面上にそれぞれ積層された垂直配向膜と
、
前記アレイ基板及びカラーフィルタ基板の間に配置された誘電率異方性が負の液晶層と
を有し、
前記カラーフィルタ層は前記それぞれの反射板と対向する位置に開口部分が形成され、
前記液晶分子の配向規制手段は前記コンタクトホールと対向する位置に形成されている
とともに、前記カラーフィルタ層の開口部分の中心は前記液晶分子の配向規制手段の中心
と一致する位置に形成されていることを特徴とする半透過型液晶表示パネル。
【請求項２】
前記開口部分は前記カラーフィルタ層の前記走査線に沿った方向の全体に亘り形成され
ていることを特徴とする請求項１に記載の半透過型液晶表示パネル。
【請求項３】
前記液晶分子の配向規制手段は前記共通電極上に形成された突起であることを特徴とす
る請求項１に記載の半透過型液晶表示パネル。
【請求項４】
前記カラーフィルタ基板には前記突起と対向する位置に平面視で前記突起と同じか僅か
に大きい遮光膜が形成されていることを特徴とする請求項３に記載の半透過型液晶表示パ
ネル。
【請求項５】
前記液晶分子の配向規制手段は前記共通電極に形成されたスリットであることを特徴と
する請求項１に記載の半透過型液晶表示パネル。
【請求項６】
前記スリットは、円形状であることを特徴とする請求項５に記載の半透過型液晶表示パ
ネル。
【請求項７】
前記カラーフィルタ基板は、前記それぞれのトップコート層が形成されていないカラー
フィルタ層の表面にも液晶分子の配向規制手段が形成されていることを特徴とする請求項
１〜６のいずれかに記載の半透過型液晶表示パネル。
【発明の詳細な説明】
【技術分野】
【０００１】
本発明は、半透過型液晶表示パネル関し、特に反射部のカラーフィルタ層に開口部分を
有しながらも液晶分子の配向の乱れが抑制され、表示品質の良好なＭＶＡ(Multi-domain 
vertically Aligned)方式の半透過型液晶表示パネルに関する。
【背景技術】
【０００２】
携帯電話等に代表されるモバイル機器における小型の表示部には、その使用者が限定さ
れていること等から、液晶表示パネルに対する広視野角の要求は従来さほど高くはなかっ
た。しかしながら、近年のますます高機能化するモバイル機器においても、表示部におけ
る液晶表示パネルの広視野角の要求が急激に高まってきている。このようなモバイル機器
に対する広視野角化の要求に基づき、従来から多用されていたＴＮ方式の液晶表示パネル
に換えて、ＶＡ（Vertically Aligned）方式ないしＭＶＡ方式の透過型液晶表示パネルや
半透過型液晶表示パネルの開発も最近では進められてきている（下記特許文献１、２参照
）。
【０００３】
このＭＶＡ方式の液晶表示パネルは、アレイ基板側の画素電極が両側の信号線側から延
びるスリットによって形成された幅の狭い連結部によって複数の領域に区画され、透過部
及び反射部に対応するカラーフィルタ基板側にそれぞれ突起ないしスリットからなる配向
規制手段が設けられている。このような形式のＭＶＡ方式の液晶表示パネルは、画素電極
のスリット及びカラーフィルタ側に形成された配向規制手段により、液晶分子が配向規制
手段の周囲全体に亘って傾くように配向規制されているため、視野角が非常に広くなると
いう特性を備えている。
【０００４】
ところで、半透過型液晶表示パネルにおいては、透過部ではバックライトからの入射光
は液晶層及びカラーフィルタ層を１回通過して観察者の目に入射するが、反射部では外部
からの入射光はカラーフィルタ層及び液晶層を２回通過して観察者の目に入射する。その
ため、半透過型液晶表示パネルは、反射部にトップコート層を設けて反射部におけるセル
ギャップを透過部におけるセルギャップの１／２となるようにし、反射部と透過部との表
示画質が同じになるように調整されている。更に、反射部のカラーフィルタ層の厚さを透
過部のカラーフィルタ層の厚さの１／２となるようにするか、或いは、反射部のカラーフ
ィルタ層の一部をくり抜く（以下、「開口部分」という。）ことにより、反射部と透過部
の色調が同じになるようにしている（下記特許文献３参照）。
【特許文献１】特開２００３−１６７２５３号公報
【特許文献２】特開２００４−０６９７６７号公報
【特許文献３】特開２００６−１５３９７８号公報
【発明の開示】
【発明が解決しようとする課題】
【０００５】
従来のＭＶＡ方式の半透過型液晶表示パネルにおいては、反射部の液晶分子の配向状態
を制御するために、反射部の中央にコンタクトホール及び配向規制手段としての突起を配
置している。しかしながら、セルギャップ調整用のトップコート層を有する半透過型液晶
表示パネルにおいて上述のようなカラーフィルタ層に色調調整用の開口部分を形成した場
合、反射部の色毎の表示画質にバラツキが大きい場合が存在することが見出された。
【０００６】
発明者等は、この原因を解明すべく種々実験を重ねた結果、以下のような原因に基づく
ものであることに気付いた。すなわち、従来の半透過型液晶表示パネルにおいては、開口
部分の面積及び形状はカラーフィルタ層の色毎に異なっているが、開口部分の配置と配向
規制手段としての突起の配置が考慮されていなかった。しかし、開口部分にトップコート
層を形成すると、開口部分の境界部分でトップコート層に段差が生じるが、突起がこのト
ップコート層の段差に跨って形成されてしまうことがある。
【０００７】
このように、突起がトップコート層の段差に跨って形成されると、この突起の段差上の
部分と段差の下の部分とで液晶分子の配向状態に差異が生じてしまう。この液晶分子の配
向状態の差異は突起に対して非対称に生じるため、反射部における表示画質の低下として
現れてくるわけである。このような配向規制手段がトップコート層の段差に跨って生じた
場合の反射部における表示画質の低下は、配向規制手段が突起の場合だけでなく共通電極
に形成されたスリットの場合においても同様に生じる。
【０００８】
本発明は、上述のような従来技術の問題点を解決すべくなされたものであって、その目
的は、反射部のカラーフィルタ層の開口部分と配向規制手段の配置を見直し、反射部の表
示画質のバラツキが少ないＭＶＡ方式の半透過型液晶表示パネルを提供することにある。
【課題を解決するための手段】
【０００９】
上記目的を達成するため、本発明の半透過型液晶表示パネルは、マトリクスに配置され
た複数の走査線及び信号線と、複数の前記走査線及び信号線で囲まれた領域のそれぞれに
層間絶縁膜を介して電気的に絶縁した状態で形成されているスイッチング素子及び画素電
極と、前記画素電極のそれぞれの表面又は裏面に部分的に形成された反射板と、を備え、
前記反射板が形成されている位置の層間絶縁膜に形成したコンタクトホールを介して前記
画素電極とスイッチング素子とが電気的に接続されているアレイ基板と、前記それぞれの
画素電極に対向する位置に形成されたカラーフィルタ層と、前記それぞれの反射板と対向
する位置のカラーフィルタ層の表面に形成されたトップコート層と、前記トップコート層
及びカラーフィルタ層の表面全体に形成された共通電極と、前記トップコート層上に形成
された液晶分子の配向規制手段と、を備えたカラーフィルタ基板と、前記アレイ基板及び
カラーフィルタ基板の対向面上にそれぞれ積層された垂直配向膜と、前記アレイ基板及び
カラーフィルタ基板の間に配置された誘電率異方性が負の液晶層とを有し、前記カラーフ
ィルタ層は前記それぞれの反射板と対向する位置に色度調整用の開口部分が形成され、前
記液晶分子の配向規制手段は前記コンタクトホールと対向する位置に形成されているとと
もに、前記カラーフィルタ層の開口部分の中心は前記液晶分子の配向規制手段の中心と一
致する位置に形成されていることを特徴とする。
【００１０】
本発明の半透過型液晶表示パネルでは、液晶分子の配向規制手段がコンタクトホールと
対向する位置に形成されているようにすることが必要である。半透過型液晶表示パネルの
反射部に形成されるコンタクトホールは、画素電極と例えばスイッチング素子であるＴＦ
Ｔのドレイン電極Ｄとの電気的導通を確実にとる必要があるため、ある程度の大きさ及び
深さを有している。しかも、このコンタクトホールには傾斜面が形成される。
【００１１】
このようなコンタクトホールの傾斜は、その表面に設けられている垂直配向膜によって
液晶分子に物理的な力を与え、液晶分子を傾斜させてしまう。特に画素電極と共通電極と
の間に電界を生じさせて液晶分子を配向させた際にも、液晶分子はこのコンタクトホール
の表面に形成されている垂直配向膜の物理的な力による影響を強く受け、希望する方向へ
傾斜せず、表示画質に悪影響を与える。また、コンタクトホールは、文字通り孔が形成さ
れているため、垂直配向膜にムラができたりして、コンタクトホールの存在に起因する影
響によって液晶分子の配向が不安定になりやすい。また、配向規制手段の表面にも、液晶
分子の配向方向が変化する部分が存在するため、液晶分子の配向が不安定になりやすい部
分が存在する。
【００１２】
従って、本発明の半透過型液晶表示パネルによれば、コンタクトホールによる配向が不
安定になる部分の液晶分子を配向規制手段によって配向を規制できるため、反射部の表示
画質が良好な半透過型液晶表示パネルが得られる。
【００１３】
加えて、本発明の半透過型液晶表示パネルは、カラーフィルタ層の開口部分の中心（「
重心」と呼ばれる場合もある。）が液晶分子の配向規制手段の中心と一致する位置に形成
することが必要である。開口部分及びその周囲のカラーフィルタ層の表面にはトップコー
ト層が形成されているが、このトップコート層はカラーフィルタ層と開口部分との境界部
で段差が生じている。配向規制手段がトップコート層の段差上に形成されていると、この
段差の部分で周囲の液晶分子の配向規制が乱れてしまう。
【００１４】
従って、本発明の半透過型液晶表示パネルによれば、たとえ配向規制手段がトップコー
ト層の段差部とが重なることがあっても、この段差による液晶分子の乱れの影響は対称に
生じるので、パネル全体としては液晶分子の配向の乱れは目立たなくなる。したがって、
係る観点からしても反射部の表示画質が良好な半透過型液晶表示パネルが得られる。
【００１５】
本発明の半透過型液晶表示パネルにおいては、前記開口部分は前記カラーフィルタ層の
前記走査線に沿った方向の全体に亘り形成されていることが好ましい。
【００１６】
かかる態様の半透過型液晶表示装置によれば、前記開口部分の形状が方形状等の形に切
り抜かれている従来例の場合と比すると、製造時にカラーフィルタ層の配置がずれるよう
なことがあっても表示画質に与える影響が少なくなる。
【００１７】
また、本発明の半透過型液晶表示パネルにおいては、前記液晶分子の配向規制手段は前
記共通電極上に形成された突起とすることが好ましい。
【００１８】
係る態様の半透過型液晶表示パネルによれば、突起の表面全体を配向規制手段として利
用できるので、コンタクトホール内の液晶分子に対して良好な配向規制を行うことができ
る。加えて、突起の表面とコンタクトホールの表面との間の距離を平行に近い状態にでき
るため、反射部全体に亘ってセルギャップが均一になり、良好な表示画質の半透過型液晶
表示パネルが得られる。
【００１９】
また、本発明の半透過型液晶表示パネルにおいては、前記カラーフィルタ基板には前記
突起と対向する位置に平面視で前記突起と同じか僅かに大きい遮光膜が形成されているこ
とが好ましい。
【００２０】
係る態様の半透過型液晶表示パネルによれば、突起及びコンタクトホールの存在に起因
する液晶分子の配向の乱れが生じる領域からの光を遮光することができるため、表示画質
が非常に良好な半透過型液晶表示パネルが得られる。
【００２１】
また、本発明の半透過型液晶表示パネルにおいては、前記液晶分子の配向規制手段は前
記共通電極に形成されたスリットであることが好ましい。
【００２２】
係る態様の半透過型液晶表示パネルによれば、共通電極に設けたスリットを配向規制手
段として利用できるので、簡単な構成でコンタクトホール内の液晶分子に対して良好な配
向規制を行うことができる。
【００２３】
また、本発明の半透過型液晶表示パネルにおいては、前記スリットは円形状であること
が好ましい。
【００２４】
係る態様の半透過型液晶表示パネルによれば、コンタクトホールの周囲全体に対して配
向規制することができ、しかも簡単に共通電極に配向規制手段であるスリットを形成する
ことができる。
【００２５】
また、本発明の半透過型液晶表示パネルにおいては、前記カラーフィルタ基板は前記そ
れぞれのトップコート層が形成されていないカラーフィルタ層の表面にも液晶分子の配向
規制手段が形成されていることが好ましい。
【００２６】
本発明においては、カラーフィルタ基板のトップコート層が形成されていないカラーフ
ィルタ層が存在する部分は透過部に対応する。従って、係る態様の半透過型液晶表示パネ
ルによれば、反射部だけでなく透過部においても配向規制手段が形成された視野角が広い
半透過型液晶表示パネルが得られる。
【発明を実施するための最良の形態】
【００２７】
以下、実施例及び図面を参照して本発明を実施するための最良の形態を説明する。しか
しながら、以下に示す実施形態は本発明をこれに記載したものに限定することを意図する
ものではなく、本発明は特許請求の範囲に示した技術思想を逸脱することなく種々の変更
を行ったものにも均しく適用し得るものである。
【実施例１】
【００２８】
実施例１のＭＶＡ方式の半透過型液晶表示パネルを図１〜図５を用いて説明する。なお
、図１は実施例１のＭＶＡ方式の半透過型液晶表示パネル１０Ａを透視して表した３画素
分の平面図であり、図２は図１のＡ−Ａ断面図である。また、図３は突起がトップコート
層の段差部分と重ならない場合の液晶分子の配向状態を示す模式平面図であり、図４は突
起がトップコート層の段差部分と重なる場合の液晶分子の配向状態を示す模式平面図であ
る。また、図５は、実施例１の変形例のＭＶＡ方式の半透過型液晶表示パネル１０Ａ'を
透視して表した１画素分の平面図である。なお、図３及び図４は、いずれも液晶層２９側
からカラーフィルタ基板ＣＦを眺めた場合の模式平面図であり、トップコート層は省略し
て記載してある。
【００２９】
このＭＶＡ方式の半透過型液晶表示パネル１０は、アレイ基板ＡＲの透明な絶縁性を有
するガラス基板１１上に複数の走査線１２及び信号線１３がそれぞれ直接ないし無機絶縁
膜１４を介してマトリクス状に形成されている。ここで、走査線１２と信号線１３とで囲
まれた領域が１画素に相当し、スイッチング素子となるＴＦＴがそれぞれの画素毎に形成
されている。なお、参照符号２２は例えばアモルファス−Ｓｉ等からなる半導体層である
。更に、各画素のＴＦＴ等の表面は保護絶縁膜２３で被覆されている。
【００３０】
そして、走査線１２、信号線１３、無機絶縁膜１４、保護絶縁膜２３等を覆うようにし
て、反射部１５においては表面に微細な凹凸部が形成され、透過部１６においては表面が
平坦に形成されたフォトレジスト等の有機絶縁膜からなる層間絶縁膜１７が積層されてい
る。なお、図１及び図２においては反射部１５の凹凸部は省略してある。そして層間絶縁
膜１７にはＴＦＴのドレイン電極Ｄに対応する位置にコンタクトホール２０が設けられて
いる。また、それぞれの画素において、コンタクトホール２０上及び層間絶縁膜１７の表
面には、反射部１５に例えばアルミニウム金属からなる反射板１８が設けられ、この反射
板１８の表面及び透過部１６の層間絶縁膜１７の表面には例えばＩＴＯ(Indium Tin Oxid
e)ないしＩＺＯ（Indium Zinc Oxide)からなる透明な画素電極１９が形成されている。
【００３１】
また、この半透過型液晶表示パネル１０においては、画素電極１９の反射部１５と透過
部１６の境界領域で液晶分子の配向を規制するためにスリット３３が設けられ、画素電極
１９は実質的に反射部１５の画素電極１９ａと透過部１６の画素電極１９ｂに分割されて
いる。そして、反射部１５の画素電極１９ａと透過部１６の画素電極１９ｂとは幅の狭い
部分３４を介して電気的に接続されている。
【００３２】
一方、反射部１５側においては、層間絶縁膜１７の反射板１８が存在する位置の下側に
補助容量線２１が配置されている。また、平面視で、反射板１８及び反射部１５の画素電
極１９ａは隣接する画素の反射板及び画素電極とは接しないように、走査線１２及び信号
線１３とは重複しないように、かつ、反射板１８と反射部１５の画素電極１９ａとは重な
るように実質的に同じ形状に設けられている。更に、透過部１６側における画素電極１９
ｂは、隣接する画素の画素電極及び反射板とは接しないように、かつ、信号線とは実質的
に重複しないように信号線１３に沿うように設けられ、また、走査線１２とは若干重なる
ように形成されている。
【００３３】
なお、この実施例１では、透過部１６の画素電極１９ｂのうち、走査線に沿って重複し
ている部分の両方の端部３５は僅かに信号線１３と重複している。このような構成とした
理由は、画素電極１９の形成時にマスクずれ等があっても走査線１２が剥き出しになって
液晶分子の配向に影響を与えることを防止するためである。なお、符号３７は、ストライ
プ状のカラーフィルタ層２６の製造時に各色の境界に設けられるブラックマトリクスを示
す。
【００３４】
また、ＭＶＡ方式の液晶表示パネルにおいては、本来液晶分子に電界が印加されていな
い状態で垂直に配向されている限りは液晶層を光が透過することはない。従って、実施例
１のＭＶＡ方式の液晶表示パネル１０Ａにおいては、透過部１６の画素電極１９ｂと走査
線及び信号線とが平面視において重複していなくても、この部分には垂直配向膜が設けら
れているから、本来は光を透過することがない。そのため、少なくとも透過部１６の画素
電極１９ｂと走査線及び信号線とを平面視において重複させなくてもよい。このような構
成を採用すると、走査線１２及び信号線１３を細くできるため、透過部１６の開口率が向
上するので、明るいＭＶＡ方式の半透過型液晶表示パネル１０Ａが得られる。
【００３５】
同様に、画素電極１９に設けられたスリット３３にも垂直配向膜が設けられているので
、本来は光が透過することがない。そのため、実施例１のＭＶＡ方式の半透過型液晶表示
パネル１０Ａとしては、補助容量が大きくなるようにするために、補助容量線２１を反射
板１８の下部から更に透過部１６側にスリット３３の所に位置するように延長してある。
【００３６】
更に、この実施例の半透過型液晶表示パネル１０Ａにおいては、透過部１６の画素電極
１９ｂは、反射部１５の画素電極１９ａよりも面積が大きくされている。このように、透
過部の画素電極１９ｂの面積を大きくした理由は、携帯電話機用の半透過型液晶表示パネ
ルは、高精細であってしかも画像表示が多いために、バックライトを常時点灯して実質的
に透過型液晶表示パネルとして使用される機会が多くなっているためである。そして、画
素電極１９の表面をも含み、アレイ基板ＡＲの表面には全ての表示領域を覆うようにして
垂直配向膜（図示せず）が積層されている。
【００３７】
また、第２基板の透明な絶縁性を有するガラス基板２５の表示領域上には、それぞれの
画素に対応して形成される例えば赤色（Ｒ）、緑色（Ｇ）、青色（Ｂ）のうち何れか一色
からなるストライプ状のカラーフィルタ層２６が設けられている。更に、反射部１５と透
過部１６とで同じ厚さのカラーフィルタ層２６を使用するため、反射部１５のカラーフィ
ルタ層２６の一部分に所定の厚さのトップコート層２７が設けられている。このトップコ
ート層２７は反射部１５全体にわたって設けられている。このトップコート層２７の厚さ
は反射部１５における液晶層２９の厚さ、いわゆるセルギャップｄ１が透過部１６のセル
ギャップｄ２の半分となるように、すなわちｄ１＝（ｄ２）／２となるようにされている
。
【００３８】
なお、実施例１で用いたＲ、Ｇ及びＢの各カラーフィルタ層２６には、各カラーフィル
タ層２６として同じ厚さのものを使用すると共に色調の差を調整するため、開口部分２６
'部分が形成されている。この開口部分２６'の面積は、例えばＧの部分が最も大きく、Ｂ
の部分が最も小さくなっている。そして、それぞれの開口部分２６'の中心が前記液晶分
子の配向規制手段の中心と一致するようにして、例えば、走査線１２に沿った方向の全体
に亘り形成されている。このような構成としたのは、製造時にカラーフィルタ層２６の配
置がずれるようなことがあっても、表示画質に与える影響が少なくなるようにするためで
ある。
【００３９】
また、カラーフィルタ基板ＣＦのトップコート層２７及びカラーフィルタ層２６の表面
全体に亘り共通電極２８が形成されている。更に、透過部１６に位置する共通電極２８の
表面の一部には、透過部１６の画素電極１９ｂの中央部に位置するように、液晶分子の配
向を規制するための例えば長十字状の突起３１が形成されている。更に、反射部１５の共
通電極２８の表面にはコンタクトホール２０に対向する位置に配向規制手段としての平面
視で底部の形状が円形の突起３２が設けられている。このカラーフィルタ層２６の開口部
分２６'は、その中心が液晶分子の配向規制手段である突起３２の中心と一致するように
形成されている。そして、これらの共通電極２８、突起３１及び３２の表面にはいずれも
垂直配向膜（いずれも図示せず）が積層されている。
【００４０】
反射部１５の突起３２の底部の大きさはコンタクトホール２０の大きさよりも大きい方
が好ましい。このように配向規制手段として突起３２を設けると、この突起３２の表面と
コンタクトホール２０の表面との間の距離を平行に近い状態にできるため、反射部１５全
体に亘ってセルギャップｄ１が均一に近くなるようにすることができる。
【００４１】
そして、前記アレイ基板ＡＲ及び第２基板を互いに対向させ、両基板の周囲にシール材
を設けることにより両基板を貼り合せ、両基板間に負の誘電異方性を有する液晶を充填す
ることによりＭＶＡ方式の半透過型液晶表示パネル１０Ａとなる。なお、アレイ基板ＡＲ
の下方には、図示しない周知の光源、導光板、拡散シート等を有するバックライト装置が
配置されて実施例１に係る半透過型液晶表示装置が完成される。
【００４２】
この実施例１の半透過型液晶表示パネル１０Ａは、カラーフィルタ層２６の開口部分２
６'及びその周囲のカラーフィルタ層２６の表面にはトップコート層２７が形成されてい
る。この開口部分２６'は、文字通りカラーフィルタ層２６にカラーフィルタ層がない部
分を形成したものであるため、トップコート層２７の形成時にカラーフィルタ層２６と開
口部分２６'との境界部で段差が生じる。
【００４３】
しかしながら、実施例１の半透過型液晶表示パネル１０Ａでは、カラーフィルタ層２６
の開口部分２６'の中心は液晶分子の配向規制手段である突起３２の中心と一致する位置
に形成してある。そのため、突起３２がトップコート層２７の段差部分と重ならない場合
、図３に示したように、液晶分子ＬＣは突起３２の頂点を中心として点対称となるように
配向規制される。また、突起３２がトップコート層２７の段差部分と重なる場合、図４に
示したように、液晶分子ＬＣは同様に突起３２の頂点を中心として点対称となるように配
向規制される。従って、実施例１の半透過型液晶表示パネル１０Ａにおいては、突起３２
がトップコート層２７の段差部と重なることがあっても、この段差による液晶分子ＬＣの
乱れの影響は対称に現れるので、パネル全体としては液晶分子ＬＣの配向の乱れは目立た
なくなる。
【００４４】
なお、実施例１の半透過型液晶表示パネル１０Ａにおいては、カラーフィルタ層の開口
部分２６'を走査線１２に沿った方向の全体に亘り形成した例を示した。しかしながら、
カラーフィルタ層の開口部分２６'の形状は、その中心（重心）が反射部１５の液晶分子
の配向規制手段である突起３２の中心と一致するように形成されていれば、任意の形状を
取り得る。すなわち、図５に示す実施例１の変形例の半透過型液晶表示パネル１０Ａ'に
おける赤色のカラーフィルタ層Ｒの開口部分２６'Ｒのように、反射部１５の突起３２の
周囲を囲むようにくり抜いてもよい。
【００４５】
また、実施例１の半透過型液晶表示パネル１０Ａとしては、配向規制手段としてトップ
コート層２７の表面に突起３２を形成した例を示したが、配向規制手段として共通電極２
８にスリットを形成してもよい。この場合、スリットとしては、スリットの中心がカラー
フィルタ層２６の開口部分２６'の中心と一致していれば、円形状、十字状のもの等を採
用し得る。ただし、コンタクトホール２０の周囲全体に対して配向規制し得ると言う観点
からは円形状のものが好ましい。
【実施例２】
【００４６】
実施例２の半透過型液晶表示パネルを図６及び図７を用いて説明する。なお、図６は実
施例２のＭＶＡ方式の半透過型液晶表示パネル１０Ｂを透視して表した３画素分の平面図
であり、図７は図６のＢ−Ｂ断面図である。
【００４７】
なお、実施例２の半透過型液晶表示パネル１０Ｂが実施例１の半透過型液晶表示パネル
１０Ａと構成が相違する点は、配向規制手段としての突起３１及び３２の形成位置に平面
視で突起３１及び３２よりも僅かに大きい遮光膜３６ａ及び３６ｂを形成した点のみであ
る。そこで、図６及び図７においては実施例１の半透過型液晶表示パネル１０Ａと同一の
構成部分には同一の参照符号をものを付与してその詳細な説明は省略する。
【００４８】
この遮光膜３６ａ及び３６ｂを設けた理由は次のとおりである。すなわち、半透過型液
晶表示パネルの反射部１５に形成されるコンタクトホール２０は、画素電極１９ｂとＴＦ
Ｔのドレイン電極Ｄとの電気的導通を確実にとる必要があるため、ある程度の大きさ及び
深さを有している。しかも、このコンタクトホール２０には傾斜面が形成される。
【００４９】
このようなコンタクトホール２０の傾斜は、表面に垂直配向膜が存在しているため、液
晶分子に物理的な力を与え、液晶分子を傾斜させてしまう。特に画素電極１９と共通電極
２８との間に電界を生じさせて液晶分子を配向させた際にも、液晶分子はこのコンタクト
ホール２０の表面に形成されている垂直配向膜の物理的な力による影響を強く受け、希望
する方向へ傾斜しなくなる。また、コンタクトホール２０は、文字通り孔が形成されてい
るため、垂直配向膜にムラができたりして、コンタクトホール２０の存在に起因する影響
によって、液晶分子の配向が不安定になりやすい。また、突起３２の表面においても、液
晶分子の配向方向が変化する部分が存在するため、液晶分子の配向が不安定になりやすい
部分が存在する。
【００５０】
そこで、実施例２の半透過型液晶表示装置１０Ｂにおいては、それぞれの突起３１及び
３２の底部に対応するカラーフィルタ層２６部分に、それぞれ平面視で突起３１及び３２
の底部よりも僅かに大きい遮光膜３６ａ及び３６ｂを形成した。この遮光膜３６ａ及び３
６ｂはストライプ状のカラーフィルタ層２６の製造時に各色の境界に設けられるブラック
マトリクス３７と同じ材料で同時に形成することができる。
【００５１】
これにより、遮光膜３６ａ及び３６ｂの形成のための工程数が増えることなく、遮光膜
３６ａ及び３６ｂを簡単に形成することができる。なお、図６及び図７には遮光膜３６ａ
及び３６ｂの大きさが突起３１及び３２の底部の大きさよりも僅かに大きくしたものを示
したが、突起３１及び３２の底部の大きさと実質的に同じ大きさであってもよい。
【００５２】
また、反射部の突起部３２の底部の大きさはコンタクトホール２０の大きさよりも大き
い方が好ましく、例えば、約７×７μｍの大きさのコンタクトホール２０に対し、突起３
２の底部の幅を約８μｍとすることが好ましい。この実施例２における突起３２側の遮光
膜３６ａ及び３６ｂにおいては、突起３２がアレイ基板ＡＲのコンタクトホール２０と平
面視で重なるように設けられているところから、少なくとも遮光膜３６ａはコンタクトホ
ール２０と平面視で重なるように配置される。従って、遮光膜３６ａは、コンタクトホー
ル２０からの光洩れがあっても、それが外部に漏出しないように作用するため、コンタク
トホール２０からの光洩れ及び突起３２近傍での液晶分子の配向不良に起因した光洩れの
双方を遮断することができる。
【００５３】
加えて、実施例２の半透過型液晶表示装置１０Ｂにおいては、透過部１６の突起３１の
底部にも遮光膜３６ｂが平面視において突起３１の底部の大きさと同じか僅かに大きく形
成されている。そのため、突起３１の近傍で電界無印加時に液晶分子の配向の乱れが生じ
て光が漏れることがあっても、この漏れた光は遮光膜３６ｂによって遮光されるために外
部に出てくることが少なくなる。したがって、透過部１６においても電界無印加時の光漏
れによるコントラストの低下を大きく減少させることが可能となり、表示画質が非常に良
好な実施例２の半透過型液晶表示パネル１０Ｂが得られる。
【００５４】
［比較例］
比較例の半透過型液晶表示パネルを図８及び図９を用いて説明する。なお、図８は比較
例の液晶表示パネル１０Ｃの反射部の部分断面図であり、図９は図８の場合の液晶分子の
配向状態を示す模式平面図である。なお、図８及び図９は、いずれも液晶層２９側からカ
ラーフィルタ基板ＣＦを眺めた場合の模式平面図であり、トップコート層は省略して記載
してある。
【００５５】
比較例の半透過型液晶表示パネル１０Ｃは、実施例１の半透過型液晶表示パネル１０Ａ
と構成は実質的に同一である。しかしながら、配向規制手段としての突起３２と開口部分
２６'との配置関係を考慮しなかったため、突起３１の一部のみがカラーフィルタ層２６
と開口部分２６'との境界部に生じる段差上に形成されている。
【００５６】
この比較例の半透過型液晶表示パネル１０Ｃでは、図９に示したように、液晶分子ＬＣ
の配向状態が、突起３２に対して、図面上、左右方向では対称状態となるが、上下方向で
は対称状態とはならなくなる。そのため、この段差による液晶分子ＬＣの乱れの影響は、
図面上、上下方向には対称に現れなくなるので、その分だけ液晶分子ＬＣの配向の乱れは
目立つようになり、反射部１５における表示画質の低下として認識されてしまう。
【図面の簡単な説明】
【００５７】
【図１】実施例１のＭＶＡ方式の半透過型液晶表示パネルを透視して表した３画素分の平面図である。
【図２】図１のＡ−Ａ断面図である。
【図３】突起がトップコート層の段差部分と重ならない場合の液晶分子の配向状態を示す模式平面図である。
【図４】突起がトップコート層の段差部分と重なる場合の液晶分子の配向状態を示す模式平面図である。
【図５】実施例１の変形例の半透過型液晶表示パネルを視して表した３画素分の平面図である。
【図６】実施例２の半透過型液晶表示パネルを透視して表した３画素分の平面図である。
【図７】図６のＢ−Ｂ断面図である。
【図８】比較例の半透過型液晶表示パネルの反射部の部分断面図である。
【図９】比較例の液晶分子の配向状態を示す模式平面図である。
【符号の説明】
【００５８】
１０Ａ、１０Ａ'、１０Ｂ、１０Ｃ：半透過型液晶表示パネル、１１、２５：ガラス基板
、１２：走査線、１３：信号線、１４：無機絶縁膜、１５：反射部、１６：透過部、１７
：層間絶縁膜、１８：反射板、１９、１９ａ、１９ｂ：画素電極、２０：コンタクトホー
ル、２１：補助容量線、２６：カラーフィルタ層、２６'、２６'Ｒ：開口部分、２７：ト
ップコート層、２８：共通電極、２９：液晶層、３１、３２：突起、３３：スリット、３
４：画素電極の幅の狭い部分、３５：画素電極の端部、３６ａ、３６ｂ：遮光膜、３７：
ブラックマトリクス
【図１】
2008209827.tif 000003
【図２】
2008209827.tif 000004
【図３】
2008209827.tif 000005
【図４】
2008209827.tif 000006
【図５】
2008209827.tif 000007
【図６】
2008209827.tif 000008
【図７】
2008209827.tif 000009
【図８】
2008209827.tif 000010
【図９】
2008209827.tif 000011